(57)【要約】      （修正有）【課題】必要に応じてペットの左右の肢の付け根の位置を拘束し、必要でないときは拘束を解除することができるペットの歩行補助ハーネスを提供する。【解決手段】ペットの歩行補助ハーネスは、同伴者のペットに対する把手又は引き手を提供する引手部材３と、引手部材へ直接又は間接的に設けられ且つペットの左右前肢又は左右後肢を通す左右一対の肢通し部４とを備え、左右の肢通し部の夫々は、ペットの肢を通す挿通空間を取り囲む部材であり、左右の肢通し部同士は、腰当て部２を介してペットの背側で繋がったものであり、左右の肢通し部同士をペットの腹側で分離可能に連結する、スナップ等の連結部材５を１つ又は複数備える。【選択図】図２
0003215269.tif 000002
【実用新案登録請求の範囲】
【請求項１】
四足歩行のペットに用いるペットの歩行補助ハーネスにおいて、
同伴者のペットに対する把手又は引き手を提供する引手部材と、前記引手部材へ直接又は間接的に設けられ且つペットの左右前肢又は左右後肢を通す左右一対の肢通し部とを備え、
前記左右の肢通し部の夫々は、ペットの肢を通す挿通空間を取り囲む部材であり、
前記左右の肢通し部同士は、ペットの背側で繋がったものであり、
前記左右の肢通し部同士をペットの腹側で分離可能に連結する、スナップ等の連結部材を１つ又は複数備えるペットの歩行補助ハーネス。
【請求項２】
ペットの腹側を覆う、パットや被服用の部材を備えず、ペットの局部を露出させるものであり、
ペットの背側に配置されてペットの腰に当てられる腰当て部を備え、
前記腰当て部は、ペットの前記背側にのみ配されてペットの腰に沿うパットであり、
前記左右の肢通し部は、前記腰当て部へ直接又は間接的に取り付けられ且つ後肢を通す環をなす左右の肢用ベルトであり、左右の肢用ベルトのなす前記環の内側が前記挿通空間であり、
左右の肢通し部である左右の肢用ベルト同士は、前記腰当て部を介してペットの背側で繋がったものであり、
前記引手部材は、前記腰当て部の上面側に、着脱自在に又は着脱不能に取り付けられたものであり、
前記連結部材は、前記環にされた左肢用ベルトを前記環にされた右肢用ベルトへ、分離可能に連結するものである請求項１記載のペットの歩行補助ハーネス。
【請求項３】
ペットの首に掛けられる首輪状部と、前記首輪状部と前記腰当て部とを連結する吊りバンドとを備える請求項２記載のペットの歩行補助ハーネス。
【請求項４】
前記左右の肢用ベルトの夫々は、基端側を前記腰当て部へ固定され先端側に雌雄のバックル等の結合部材を有する２本の肢用ベルト構成帯にて構成され、前記雌雄の結合により前記２本の肢用ベルト構成帯が１つの前記環とされるものであり、
前記結合部材は、結合状態においてペットの尾側へ位置するものである請求項３記載のペットの歩行補助ハーネス。
【請求項５】
前記引手部材を少なくとも２つ備え、
前記引手部材の１つは、前記腰当て部へ着脱不能に固定された握手であり、
前記引手部材の他の１つは、前記腰当て部へ着脱自在に取り付けられる手綱であることを特徴とする請求項４記載のペットの歩行補助ハーネス。
【請求項６】
前記腰当て部は、少なくとも、皮、紙、布又は樹脂で形成された板状の芯材を備え、
前記連結部材はスナップであり、
前記結合部材はバックルであり、
前記左肢用ベルトの一方の肢用ベルト構成帯は、左第２ベルト構成帯として基端を前記腰当て部の上面へ固定され先端に前記結合部材の雌雄の一方を備え、雌雄の当該一方をペットの尾側へ配置するものであり、
前記右肢用ベルトの一方の肢用ベルト構成帯は、右第２ベルト構成帯として基端を前記腰当て部の上面へ固定され先端に前記結合部材の雌雄の一方を備え、雌雄の当該一方をペットの尾側へ配置するものであり、
前記左足用ベルトの他の一方の肢用ベルト構成帯と、前記右肢用ベルトの他の一方の肢用ベルト構成帯と、前記握手とは、一本のベルトにて構成され、
前記一本のベルトを長ベルトとして、前記長ベルトは、前記腰当て部の上面に重なり前記腰当て部の左右へ伸びるものであり、
前記腰当て部は、上面へ前記長ベルトに突き通された左主リベット及び右主リベットの２つのリベットを備え、
前記腰当て部において前記左右両主リベット同士は左右に間隔を開けて設けられ、前記左右両主リベットは、前記長ベルトを前記腰当て部上面へ固定するものであり、前記長ベルトにおいて前記左右両主リベット間の区間が前記握手を構成するものであり、
前記腰当て部は、前記左主リベットの左側へ前記長ベルトに突き通されたリベットを左副リベットとして備え、前記右主リベットの右側へ前記長ベルトに突き通されたリベットを右副リベットとして備え、前記左右両副リベットも、前記長リベットを前記腰当て部上面へ固定するものであり、
前記長ベルトにおいて前記左主リベットと前記左副リベットの間の区間には、環状の金具が左リングとして掛けられ、
前記長ベルトにおいて前記右主リベットと前記右副リベットの間の区間には、環状の金具が右リングとして掛けられ、
前記長ベルトについて、前記左副リベットより左側へ伸びる区間は左第１ベルト構成帯として前記左肢用ベルトの他の一方の肢用ベルト構成帯をなし左端に前記左肢用ベルトにおける前記結合部材の雌雄の他の一方を備え、
前記左第１ベルト構成帯は、ペットの左肢の前方から股を通って尾側の前記左第２ベルト構成帯と結合されるものであり、
前記長ベルトについて、前記右副リベットより右側へ伸びる区間は右第１ベルト構成帯として前記右肢用ベルトの他の一方の肢用ベルト構成帯をなし右端に前記右肢用ベルトにおける前記結合部材の雌雄の他の一方を備え、
前記右第１ベルト構成帯は、ペットの右肢の前方から股を通って尾側の前記右第２ベルト構成帯と結合されるものであり、
前記手綱の一端側は、輪にされた持ち手を構成し、前記手綱の他端側は左右に分岐し、手綱の前記他端の夫々は茄子鐶を備え、一方の前記茄子鐶は前記左リングへ嵌められ、他の一方の茄子鐶は前記右リングへ嵌められるものであり、
前記吊りバンドは、長さ調整の可能なサスペンダーであり、ペットの背側において前記腰当て部へ着脱自在に取り付けられ、
前記首輪状部と前記吊りバンドが、一本のバンドにて構成されたものであり、
前記一本のバンドを長バンドとして、前記首輪状部は前記長バンドを輪にした区間であり、輪にした前記長バンドの交差位置を留める留め具を交差留め具として備え、
前記交差位置から前記輪と反対側へ伸びる前記長バンドの両端側の区間夫々が、前記サスペンダーを構成する請求項５記載のペットの歩行補助ハーネス。
【考案の詳細な説明】
【技術分野】
【０００１】
本考案は、ペットの歩行補助ハーネスの改良に関する。
【背景技術】
【０００２】
犬や猫に代表される四足歩行のペットについても、二足歩行の人間と同様、老齢化や疾患、障害によって、通常の歩行が困難なことがある。
上記ペットのために特許文献１には、寝たきりや寝たきりに近い状態となったペット用のおむつパンツが提案されている。
【０００３】
特許文献１のペット用おむつパンツは、 ペットの後胴体に装着されるパンツ本体と、該パンツ本体に取り付けられるサスペンダーとを備え、前記パンツ本体は、ペットの背中側に位置する背中側カバー部と、ペットの腹部側に位置する腹側カバー部と、ペットの後脚間の股下部分に位置する股下カバー部とを備え、前記サスペンダーは、ペットの首部が挿通される首掛け部と、該首掛け部と前記背中側カバー部との間に連結される背中側部と、前記首掛け部と前記腹側カバー部との間に連結される腹側部とを備えたものであり、 前記首掛け部は、長尺体の一端部側を他端部側に縫製することにより首挿通口が形成され、前記腹側部の一端部は、首掛け部側に縫製により連結されたものである（請求項１）。
【０００４】
特許文献１に示されたものは、上記の通りペットの後胴体に装着されるパンツ本体を備えた、ペットの排泄物の処理に主眼が置かれたものであり、ペットの歩行を円滑に行わせるという観点は無く、歩行補助の工夫は見当たらない。
一方、特許文献２〜５では、歩行の困難になった四足歩行のペットのために、特に同伴者が後肢を補助することができる歩行補助ハーネスが提案されている。
【０００５】
具体的には、特許文献２には、歩行障害のあるペットに取り付けられる保持体と、前記保持体に取り付けられるハンドベルトとを備え、前記ハンドベルトを引き上げることで前記ペットの歩行を介助するペット歩行補助ハーネスにおいて、前記保持体は、前記ペットの胴体に取り付けられる胴当て部を備え、前記胴当て部には、前記ハンドベルトの少なくとも一部が取り付けられることにより、前記ハンドベルトを引き上げる力が前記胴当て部に加わるものであり、前記胴当て部は、前記保持体の展開状態で左右方向に伸びる横芯材を備え、前記横芯材が前後方向に複数配置され、前記横芯材が前記引き上げる力を分散させるペット歩行補助ハーネスが示されている（請求項１）。
【０００６】
また、特許文献３には、歩行障害のあるペットに取り付けられる保持体と、前記保持体に取り付けられるハンドベルトとを備え、前記ハンドベルトを引き上げることで前記ペットの歩行を介助するペット歩行補助ハーネスにおいて、前記保持体は、前記ペットの胴部に取り付けられる胴当て部と、前記ペットの胸部に取り付けられる胸当て部とを備え、前記胴当て部と前記胸当て部とが、別体に構成されると共に互いに着脱可能に接続され、前記胴当て部と前記胸当て部との接続位置を変更することにより、前記保持体の全長を変更可能としたペット歩行補助ハーネスが示されている（請求項１）。
【０００７】
更に特許文献４には、歩行障害のある四足歩行のペットに対して後肢を挿入して用いるペットの後肢用ハーネスにおいて、左右の後肢挿入用ベルトと、提げ手用ベルトとを備え、左右の前記後肢挿入用ベルトの夫々は前記後肢を挿入するように環状をなすものであり、前記提げ手用ベルトは左右に渡されて、前記提げ手用ベルトの左右の下端が接続部にて左右の前記後肢挿入用ベルトの上端に接続されている四足歩行のペットの後肢用ハーネスが示されている（請求項１）。
【０００８】
また更に特許文献５には、四足歩行のペットに対して着用させるペット用着衣において、着用状態で前記ペットの左右の脚をレッグホールに通した状態で、前記ペットの胴体に着用させることができる着衣本体と、前記着衣本体を着用させた状態で人が持つための持ち手とを備え、前記持ち手は、前記着衣本体を着用させた状態で人が前記ペットの背中側から持ち上げることができるように構成され、前記着衣本体は、前記持ち手の基部から前記着衣本体の腹側にかけて配置された芯地を備え、前記芯地は、前記胴体からの荷重を持ち手に伝達するように構成されたペット用着衣が示されている（請求項１）。
【０００９】
上記特許文献２へ示すものは、ハンドベルトや持ち手が設けられた胴当て部を備え、同伴者はハンドベルトや持ち手にてペットの胴部を上方へ引き上げて歩行を補助することができる。
一方特許文献３には、胸当て部と胴当て部とを結合するハンドベルトで同伴者がペットを上方へ引き上げて歩行を補助することができ、環にされたヒップペルト３４へペットの後肢を通すものが示されている。
また特許文献４へ示すものは、左右の後肢挿入用ベルトへペットの後肢を通し提げ手用ベルトを引くことにてペットの後肢側を引き上げることができる。
更に特許文献５へ示すものは、着衣本体にペットに設けられたレッグホールへ左右の肢を通し、着衣本体に設けられた持ち手にてペットを引き上げることができる。
【先行技術文献】
【特許文献】
【００１０】
【特許文献１】特開２００７−１５９４２０号公報
【特許文献２】実用新案登録第３１９２３５５号公報
【特許文献３】実用新案登録第３１９２４１３号公報
【特許文献４】実用新案登録第３１９８２７７号公報
【特許文献５】実用新案登録第３２０８７５７号公報
【考案の概要】
【考案が解決しようとする課題】
【００１１】
特許文献２へ示すものは、上記胴当て部をペットの胴部にのみ配しペットの前肢や後肢は上記胴当て部に通されないタイプのものである。
一方特許文献３〜５に示すものは、ペットの前肢又は後肢を通す構成を備えたタイプのものである。
本考案は、特に特許文献３〜５に示すペットの前肢又は後肢を通す構成を備えたタイプのものについて、更なる改良を図るものである。
【００１２】
具体的には、特許文献３及び４へ示すものは、左右の肢の付け根を殆ど拘束せずその自由さと引き換えに引き手（ハンドベルトや提げ手用ベルト）を引いた際ペットの左右の肢の付け根間は安定しない。
逆に特許文献５へ示すものでは、レッグホールによって左右の肢の付け根の位置は固定され、ペットの大きさや種類、排せつ時や歩行時のペットの体調によっては、物言わぬペットの動きを拘束し過ぎる懸念がある。
そこで、本考案は、ペットの前肢又は後肢を通す構成を備えたペットの歩行補助ハーネスについて、必要に応じてペットの左右の肢の付け根の位置を拘束し、必要でないとき当該拘束を解除することができるものを提供する。
【課題を解決するための手段】
【００１３】
本考案は、四足歩行のペットに用いるペットの歩行補助ハーネスにおいて、同伴者のペットに対する把手又は引き手を提供する引手部材と、前記引手部材へ直接又は間接的に設けられ且つペットの左右前肢又は左右後肢を通す左右一対の肢通し部とを備え、前記左右の肢通し部の夫々は、ペットの肢を通す挿通空間を取り囲む部材であり、前記左右の肢通し部同士は、ペットの背側で繋がったものであり、前記左右の肢通し部同士をペットの腹側で分離可能に連結する、スナップ等の連結部材を１つ又は複数備えるペットの歩行補助ハーネスを提供する。
尚、上記スナップ等の連結部材には、スナップの他、ボタン、バックル、ファスナ、起毛ファスナ、クリップ、括り紐その他の周知の留め具を含む。
また本考案は、ペットの腹側を覆う、パットや被服用の部材を備えず、ペットの局部を露出させるものであり、ペットの背側に配置されてペットの腰に当てられる腰当て部を備え、前記腰当て部は、ペットの前記背側にのみ配されてペットの腰に沿うパットであり、前記左右の肢通し部は、前記腰当て部へ直接又は間接的に取り付けられ且つ後肢を通す環をなす左右の肢用ベルトであり、左右の肢用ベルトのなす前記環の内側が前記挿通空間であり、左右の肢通し部である左右の肢用ベルト同士は、前記腰当て部を介してペットの背側で繋がったものであり、前記引手部材は、前記腰当て部の上面側に、着脱自在に又は着脱不能に取り付けられたものであり、前記連結部材は、前記環にされた左肢用ベルトを前記環にされた右肢用ベルトへ、分離可能に連結するものであるペットの歩行補助ハーネスを提供できた。
更に本考案は、ペットの首に掛けられる首輪状部と、前記首輪状部と前記腰当て部とを連結する吊りバンドとを備えるペットの歩行補助ハーネスを提供できた。
また更に本考案では、前記左右の肢用ベルトの夫々は、基端側を前記腰当て部へ固定され先端側に雌雄のバックル等の結合部材を有する２本の肢用ベルト構成帯にて構成され、前記雌雄の結合により前記２本の肢用ベルト構成帯が１つの前記環とされるものであり、前記結合部材は、結合状態においてペットの尾側へ位置するものであるペットの歩行補助ハーネスを提供できた。
尚、上記バックル等の雌雄の結合部材には、バックルの他、スナップ、ボタン、ファスナ、起毛ファスナ、クリップその他の周知の留め具を含む。
更にまた本考案は、前記引手部材を少なくとも２つ備え、前記引手部材の１つは、前記腰当て部へ着脱不能に固定された握手であり、前記引手部材の他の１つは、前記腰当て部へ着脱自在に取り付けられる手綱であるペットの歩行補助ハーネスを提供できた。
尚、上記手綱は、少なくともペットの動きを制する引き手として機能するものであればよく、通常のハーネスの他、ベルトその他の帯状のもの、紐、チェーンを含む。
また本考案では、前記腰当て部は、少なくとも、皮、紙、布又は樹脂で形成された板状の芯材を備え、前記連結部材はスナップであり、前記結合部材はバックルであり、前記左肢用ベルトの一方の肢用ベルト構成帯は、左第２ベルト構成帯として基端を前記腰当て部の上面へ固定され先端に前記結合部材の雌雄の一方を備え、雌雄の当該一方をペットの尾側へ配置するものであり、前記右肢用ベルトの一方の肢用ベルト構成帯は、右第２ベルト構成帯として基端を前記腰当て部の上面へ固定され先端に前記結合部材の雌雄の一方を備え、雌雄の当該一方をペットの尾側へ配置するものであり、前記左足用ベルトの他の一方の肢用ベルト構成帯と、前記右肢用ベルトの他の一方の肢用ベルト構成帯と、前記握手とは、一本のベルトにて構成され、前記一本のベルトを長ベルトとして、前記長ベルトは、前記腰当て部の上面に重なり前記腰当て部の左右へ伸びるものであり、前記腰当て部は、上面へ前記長ベルトに突き通された左主リベット及び右主リベットの２つのリベットを備え、前記腰当て部において前記左右両主リベット同士は左右に間隔を開けて設けられ、前記左右両主リベットは、前記長ベルトを前記腰当て部上面へ固定するものであり、前記長ベルトにおいて前記左右両主リベット間の区間が前記握手を構成するものであり、前記腰当て部は、前記左主リベットの左側へ前記長ベルトに突き通されたリベットを左副リベットとして備え、前記右主リベットの右側へ前記長ベルトに突き通されたリベットを右副リベットとして備え、前記左右両副リベットも、前記長リベットを前記腰当て部上面へ固定するものであり、前記長ベルトにおいて前記左主リベットと前記左副リベットの間の区間には、環状の金具が左リングとして掛けられ、前記長ベルトにおいて前記右主リベットと前記右副リベットの間の区間には、環状の金具が右リングとして掛けられ、前記長ベルトについて、前記左副リベットより左側へ伸びる区間は左第１ベルト構成帯として前記左肢用ベルトの他の一方の肢用ベルト構成帯をなし左端に前記左肢用ベルトにおける前記結合部材の雌雄の他の一方を備え、前記左第１ベルト構成帯は、ペットの左肢の前方から股を通って尾側の前記左第２ベルト構成帯と結合されるものであり、前記長ベルトについて、前記右副リベットより右側へ伸びる区間は右第１ベルト構成帯として前記右肢用ベルトの他の一方の肢用ベルト構成帯をなし右端に前記右肢用ベルトにおける前記結合部材の雌雄の他の一方を備え、前記右第１ベルト構成帯は、ペットの右肢の前方から股を通って尾側の前記右第２ベルト構成帯と結合されるものであり、前記手綱の一端側は、輪にされた持ち手を構成し、前記手綱の他端側は左右に分岐し、手綱の前記他端の夫々は茄子鐶を備え、一方の前記茄子鐶は前記左リングへ嵌められ、他の一方の茄子鐶は前記右リングへ嵌められるものであり、前記吊りバンドは、長さ調整の可能なサスペンダーであり、ペットの背側において前記腰当て部へ着脱自在に取り付けられ、前記首輪状部と前記吊りバンドが、一本のバンドにて構成されたものであり、前記一本のバンドを長バンドとして、前記首輪状部は前記長バンドを輪にした区間であり、輪にした前記長バンドの交差位置を留める留め具を交差留め具として備え、前記交差位置から前記輪と反対側へ伸びる前記長バンドの両端側の区間夫々が、前記サスペンダーを構成するペットの歩行補助ハーネスを提供できた。
【考案の効果】
【００１４】
本考案は、ペットの腹側において左右の肢通し部同士を分離可能に連結できるペットの歩行補助ハーネスを提供できた。
即ち、本考案に係るペットの歩行補助ハーネスは、ペットの腹側において左右の肢通し部を連結することでペットの左右の肢の付け根の位置を拘束でき、ペットの腹側において左右の肢通し部を分離することで当該拘束を解除することができる。実施の形態レベルでは、連結部材を複数備えるものとする或いは連結部材にファスナを採用することにより、拘束の度合いを調整可能とすることができる。
特に本考案はペットの後肢側を引き上げるのに適したものである。本考案のペット用歩行保持ハーネスは、着用時ペットの局部を露出させるものであるので、着用したままペットに排せつさせることができる。また、排せつ時に、ペットの腹側にて左右の肢通し部を分離することで、楽に排せつさせることができる。
また、本考案に係るペットの歩行補助ハーネスを実施する際、ペットの腹側について、パットや被服用の部材にて覆わないことにより、引手部材を引いた際に消化器官の集中するペットの腹に負荷を掛けない。更に本考案は、ベルトや紐に比して形状が安定した腰当て部をペットの腰に当て、当該腰当て部を基軸として左右の肢通し部となる左右の肢用ベルトを設けて、引手部材により腰当て部を引くものであるため、ペットの背側における左右の肢通し部間の間隔を安定したものとし、その上で腹側における左右の後肢の付け根の上記拘束とその解除の選択を可能とした。
【００１５】
また本考案は、首輪状部を吊りバンドにて上記腰当て部へ繋ぐことにて、腰当て部がペットの尾側へずれ落ちるのを防ぐことができる。また、首輪状部を備えることにより、首輪状部材へリボンやタイなどの飾りを取り付けて、ペットの首回りを装飾することができる。
更に、左右の肢通し部である左右の肢用ベルトの夫々に関し、２本の肢用ベルト構成帯を分離可能に結合することにより構成したものであり、歩行補助ハーネス装着時、左右肢用ベルトの夫々について２本の肢用ベルト構成帯を分離した状態にしておき、ペットの肢へ装着した後結合部材にて２本の肢用ベルト構成帯を繋ぐことで、円滑に左右の肢用ベルトへペットの肢を通すことができる。そして結合部材の操作にて２本の肢用ベルト構成帯を分離することにより上記にて装着した歩行補助ハーネスをペットから簡単に外すことかできる。
【００１６】
また本考案において、上記各効果を奏することを前提とし、腰当て部に設けた把手にて段差のある路上を歩行中、ペットの腰を引き上げて後肢を浮かせて段差を超えることができ、更に、手綱を引くことでペットに歩行をさせつつ後肢へ掛かる体重を緩和することができる。
また本考案は、上記各効果を得るより具体的手段を提供できた。
【図面の簡単な説明】
【００１７】
【図１】本考案に係るペットの歩行補助ハーネスの使用状態を示す全体斜視図。
【図２】図１のペットの歩行補助ハーネスの手綱を外した状態の全体平面図。
【図３】（Ａ）は主として図１及び図２へ示すペットの歩行補助ハーネスの腰当て部の平面図、（Ｂ）は長ベルトを取り付けた（Ａ）の腰当て部の平面図。
【図４】（Ａ）は図1及び図２へ示すペットの歩行補助ハーネスの手綱の斜視図、（Ｂ）は図1及び図２へ示すペットの歩行補助ハーネスの肢通し部の使用状態を示す底面図。
【図５】（Ａ）は図１及び図２へ示すペットの歩行補助ハーネスの交差留め具の平面図、（Ｂ）は（Ａ）に示す交差留め具へ長バンドを通した状態を示す縦断面図、（Ｃ）は図１及び図２へ示すペットの歩行補助ハーネスの首輪状部へ取り付けられる飾りの正面図。
【考案を実施するための形態】
【００１８】
図面に基づき本考案の実施の形態について説明する。
本考案に係るペットの歩行保持ハーネス１は、四足歩行のペットに使用するものである。
ここではペットｐとして犬を例示し、上記ペットの歩行補助ハーネス１について説明する（図１）。
尚各部材名称中の左右の文言は、左肢・右肢などのペットの体の左右を基準として付けたものであり、正面視した状態でいう左右とは逆になっている。
【００１９】
（概要）
この歩行補助ハーネス１は、ペットｐの腹側を覆うパットや被服用の部材を備えず、ペットｐの局部を露出させるものである。この歩行補助ハーネス１は、腰当て部２と、引手部材３と、肢通し部４と、連結部材５と、首輪状部７１と、吊りバンド７２と、交差留め具８と、飾り９とを備える（図１及び図２）。
【００２０】
（腰当て部２）
腰当て部２は、ペットｐの腰に当てられるパットであり、ペットｐの前記背側にのみ配されてペットｐの腰にのみ沿う形状及び大きさを備えたパットである（図１〜図３）。
腰当て部２は、皮、紙、布又は樹脂で形成された板状の芯材（図示しない。）を備え、当該芯材の表面は布地にて覆われている。この例では、上記布地は、通気性のあるメッシュ素材にて形成されている。
腰当て部２は上記芯材によって腰に沿って湾曲した形状を維持することができる。但し、当該形状の維持が不要であれば、腰当て部２は上記布地のみにて形成するものとしても実施できる。また、上記芯材は、天然皮革又はフェイクレザーなどの合成皮革とし、上記布地で覆わないものとしても実施できる。
腰当て部２はペットｐと当接する面即ち上記芯材の下面に、綿や羽毛、発泡ウレタンなどクッション性のある、緩衝部材を備えるものとしてもよい。当該緩衝部材により、ペットｐに対して腰当て部２の当接を心地よいものとすることができる。
【００２１】
腰当て部２の上面には、後述する左第２ベルト構成帯４２ａがリベット（左リベット２３ａと呼ぶ。）にて固定され、後述する右第２ベルト構成帯４２ｂがリベット（右リベット２３ｂと呼ぶ。）にて固定されている（図３（Ａ））。
更に腰当て部２の上面には、左右に伸びる一枚の帯状の布が当て布２１として縫い付けられている。当て布２１は、ペットの歩行方向を前方として、左第２ベルト構成帯４２ａの左リベット２３ａより前方の部分と右第２ベルト構成帯４２ｂの右リベット２３ｂより前方の部分の双方を、腰当て部２の上面との間に挟んで押さえる。
更に腰当て部２の上面には、上記当て布２１を覆う一枚の布が目隠し布２２として縫い付けられている（図３（Ｂ））。
【００２２】
（引手部材３）
引手部材３は、腰当て部２の上面側に、着脱自在に又は着脱不能に取り付けられて、同伴者のペットｐに対する把手又は引き手を提供する（図１、図２、図３（Ｂ）及び図４（Ａ））。
この例では、歩行補助ハーネス１には、上記腰当て部２の上面に固定された握手３１と、上記腰当て部２の上面へ着脱自在に設けられた手綱３２の、２種類の引手部材３が備えられている（図１）。
手綱３２には、樹脂製のテープを採用することができる。手綱３２には、特にアクリル製のテープを採用することができる。但し、手綱３２として必要な強度を備えたものであればアクリル製のテープに限定するものではなく、周知の他の素材にて手綱３２を形成することができる。
【００２３】
握手３１は、後述する左第１ベルト構成帯４１ａと右第１ベルト構成体４１ｂと共に、一本のベルト６の一区間を構成するものである（図３（Ｂ））。以下このベルト６を長ベルト６と呼ぶ。
長ベルト６は、腰当て部２の上面即ち目隠し布２２の上面へ重なり腰当て部２の左右へ伸びる。
長ベルト６にも、樹脂製の、特にアクリル製のテープを採用することができる。但し、長ベルト６として必要な強度を備えたものであればアクリル製のテープに限定するものではなく、周知の他の素材にて長ベルト６を形成することができる。
【００２４】
腰当て部２の上面の２箇所には長ベルト６と共に、2つのリベットが左主リベット２４ａと右主リベット２４ｂとして突き通されている（図３（Ｂ））。
左右両主リベット２４ａ，２４ｂ同士は互いに左右へ間隔を開けて腰当て部２に設けられている。
左右両主リベット２４ａ，２４ｂが、長ベルト６を腰当て部２上面へ固定する。長ベルト６において左右両主リベット２４ａ，２４ｂ間の区間が上記握手３１を構成する。
更に、腰当て部２は、左主リベット２４ａの左側へ長ベルト６に突き通されたリベットを左副リベット２５ａとして備え、右主リベット２４ｂの右側へ長ベルト６に突き通されたリベットを右副リベット２５ｂとして備える。左右の両副リベット２５ａ，２５ｂも、上記左右の両主リベット２４ａ，２４ｂと同様、長リベット６を腰当て部２上面へ固定するものである。
【００２５】
長ベルト６において左主リベット２４ａと左副リベット２５ａの間の区間には、環状の金具が左リング２６ａとして掛けられている。また、長ベルト６において右主リベット２４ｂと右副リベット２５ｂの間の区間には、環状の金具が右リング２６ｂとして掛けられている。
この例では、握手３１の表面は、フェイクレザー即ち合成皮革のカバー３１ｃにて覆われている（図２及び図３（Ｂ））。
【００２６】
上記手綱３２の一端側は、輪にされた持ち手３３を構成し、手綱３２の他の一端側は左右に分岐し、2つの分岐端３４を構成する（図１及び図４（Ａ））。
手綱３２の前記分岐端３４の夫々は茄子鐶３５を備え、一方の茄子鐶３５は上記左リング２６ａへ嵌められ、他の一方の茄子鐶３５は上記右リング２６ｂへ嵌められる（図１）。
【００２７】
（肢通し部４）
上記肢通し部４は、ペットｐの左右の後肢ｆ１，ｆ２を通す部材であり、左右一対の上記肢通し部４がこの歩行補助ハーネス１に備えられている（図１及び図２）。
即ち、左右の肢通し部４の夫々は、ペットｐの肢ｆ１，ｆ２を通す挿通空間を取り囲む部材であり、左右の肢通し部４同士は、この例では腰当て部２を介してペットｐの背側で繋がっている。
具体的には、左右の肢通し部４は、腰当て部２へ直接又は間接的に取り付けられ且つ後肢はｆ１，ｆ２を通す環をなす左肢用ベルト４ａと右肢用ベルト４ｂの２本のベルトである。左右の肢用ベルト４ａ，４ｂのなす上記環の内側が上記挿通空間である。従ってこの例では、左右の肢通し部４である左右の肢用ベルト４ａ，４ｂ同士が、上記腰当て部２を介してペットの背側で繋がっている。また左右の肢用ベルト４ａ，４ｂの呈する上記各環の一部は、腰当て部２が担っている。
【００２８】
左右の肢用ベルト４ａ，４ｂの夫々は、基端側を腰当て部２へ固定され先端側に雌雄の結合部材４３を有する２本の肢用ベルト構成帯にて構成され、当該雌雄の結合により２本の肢用ベルト構成帯が１つの上記環とされる。
結合部材４３は、結合状態においてペットｐの尾ｆ３側へ位置する（図１及び図２）。
結合部材４３はこの例では、バックルである（図１〜図３）。当該バックルは、雄側を雌側へ差し込むことによって、雌雄連結することができる。
左肢用ベルト４ａの一方の肢用ベルト構成帯は、前述の左第２ベルト構成帯４２ａとして基端を腰当て部２の上面へ固定された樹脂製のテープである。左第２ベルト構成帯４２ａにはアクリル製のテープを採用することができる。当該左第２ベルト構成帯４２ａの先端（後端）は結合部材４３の雌雄の一方を備え、当該雌雄の一方をペットｐの尾ｆ３側へ配置する。この例では、左第２ベルト構成帯４２ａの先端（後端）には、結合部材４３であるバックルの雌側が左後結合構成部４３ａ２として設けられている。
右肢用ベルト４ｂの一方の肢用ベルト構成帯は、前述の右第２ベルト構成帯４２ｂとして基端を腰当て部２の上面へ固定された樹脂製のテープである。右第２ベルト構成帯４２ｂにはアクリル製のテープを採用することができる。当該右第２ベルト構成帯４２ｂの先端（後端）は結合部材４３の雌雄の一方を備え、当該雌雄の一方をペットｐの尾ｆ３側へ配置する。この例では、右第２ベルト構成帯４２ｂの先端（後端）には、結合部材４３であるバックルの雌側が右後結合構成部４３ｂ２として設けられている。
【００２９】
前述の長ベルト６に関し、左副リベット２５ａより左側へ伸びる区間は前述の左第１ベルト構成帯４１ａとして左肢用ベルト４ａの他の一方の肢用ベルト構成帯をなすものである（図３（Ｂ））。左第１ベルト構成帯４１ａは左端に左肢用ベルト４ａにおける結合部材４３の雌雄の他の一方を備える。左第１ベルト構成帯４１ａは、ペットｐの左肢ｆ１の前方から股を通って尾ｆ３側の左第２ベルト構成帯４１ａと結合される（図１及び図２）。即ち、左第１ベルト構成帯４１ａの先端（左端）には、結合部材４３であるバックルの雄側が左前結合構成部４３ａ１として設けられており、上記左第２ベルト構成帯４２ａの左後結合構成部４３ａ２と結合することができる。但し、左前結合構成部４３ａ１をバックルの雌側とし、左後結合構成部４３ａ２をバックルの雄側としてもよい。
【００３０】
また、長ベルト６に関し、右副リベット２５ｂより右側へ伸びる区間は前述の右第１ベルト構成帯４１ｂとして右肢用ベルト４ｂの他の一方の肢用ベルト構成帯をなすものである（図３（Ｂ））。右第１ベルト構成帯４１ｂは右端に右肢用ベルト４ｂにおける結合部材４３の雌雄の他の一方を備える。右第１ベルト構成帯４２ｂは、ペットｐの右肢ｆ２の前方から股を通って尾ｆ３側の右第２ベルト構成帯４１ｂと結合される（図１及び図２）。即ち、右第１ベルト構成帯４１ｂの先端（右端）には、結合部材４３であるバックルの雄側が右前結合構成部４３ｂ１として設けられており、上記右第２ベルト構成帯４２ｂの右後結合構成部４３ｂ２と結合することができる。但し、右前結合構成部４３ｂ１をバックルの雌側とし、右後結合構成部４３ｂ２をバックルの雄側としてもよい。
【００３１】
結合部材４３には、バックル以外に、スナップ、ボタン、ファスナ、起毛ファスナ、クリップその他の周知の留め具を採用することができる。
またこの例では、前記左右の肢用ベルト４ａ，４ｂの夫々は、肢と当たる区間をクッション性と通気性を備えたメッシュ素材のカバー部材４１ｃにて覆われている。この例では、左第１ベルト構成帯４１ａ及び右第１ベルト構成帯４１ｂに上記カバー部材４１ｃが取り付けられている（図２及び図３（Ｂ））。
【００３２】
（連結部材５）
連結部材５は、前記左右の肢通し部同士を、ペットｐの腹側で分離可能に連結する（図２及び図４（Ｂ））。即ち、連結部材５は、環にされた左肢用ベルト４ａを環にされた右肢用ベルト４ｂへ、分離可能に連結する。この例では、連結部材５は、スナップである。当該スナップは、雄側を雌側へ力嵌めすることによって、雌雄連結することができる。
この例では、肢通し部４は、雌雄５１，５２一対の連結部材５を二対備える（図２）。但し、肢通し部４は、連結部材５を一対備えるものとしてもよい（図３（Ｂ））し、三対以上備えるものとしてもよい。
図２及び図４（Ｂ）へ示す通り、上記カバー部材４１ｃ表面には、取付片５３として布片が縫い付けられている。連結部材５は、上記取付片５３へ設けられている。この例では、左第１ベルト構成帯４１ａのカバー部材４１ｃへスナップである連結部材５の雌５１側が備えられ、右第１ベルト構成帯４１ｂのカバー部材４１ｃへスナップである連結部材５の雄５２側が設けられている。連結部材５の２つの雌５１同士は、装着状態の左第１ベルト構成帯４１ａのペットｐ腹側に配される区間において左第１ベルト構成帯４１ａの長手方向に間隔を開けて配置されている。連結部材５の２つの雄５２同士は、装着状態の右第１ベルト構成帯４１ｂのペットｐ腹側に配される区間において右第１ベルト構成帯４１ｂの長手方向に上記雌５１同士と同様の間隔を開けて配置されている。
尚、左第１ベルト構成帯４１ａのカバー部材４１ｃへ連結部材５の雄５２側が設けられ、右第１ベルト構成帯４１ｂのカバー部材４１ｃへ連結部材５の雌５１側が設けられてもよい。
また、取付片５３の夫々は、上記と異なり左第１ベルト構成帯４１ａ及び右第１ベルト構成帯４１ｂに直接縫い付けられたものとし、カバー部材４１ｃには、取付片５３を通す穴を設けてカバー部材４１ｃの外側へ上記スナップを露出させるものとしてもよい。
連結部材５には、スナップ以外に、ボタン、バックル、ファスナ、起毛ファスナ、クリップ、括り紐その他の周知の留め具を採用することができる。但し連結部材５にスナップを採用することによって、左右の肢用ベルト４ａ，４ｂの連結・分離が簡単且つ迅速に行える。
【００３３】
（首輪状部７１）
首輪状部７１は、ペットｐの首に掛けられる紐状又は帯状のものである（図１及び図２）。この例では、首輪状部７１は後述する吊りバンド７２と共に一本のバンド（以下長バンド７と呼ぶ。）にて構成されたものである。長バンド７は、樹脂製のテープである。長バンド７には、アクリル製のテープを採用することができる。
首輪状部７１は一本の当該長バンド７を輪にした区間である（図２）。当該輪の部分には、筒状に丸められた即ちパイピングされた布地７４が巻かれる（図１及び図２）。当該布地７４は、装飾性を高め、首への首輪状部７１の当たりを柔らかくして首回りの心地をよくする。
【００３４】
（交差留め具８）
交差留め具８は、首輪状部７１として輪にした上記長バンド７の交差位置を留めて交差状態を維持する留め具である。交差留め具８は、合成樹脂製の円盤であり、表面から裏面へ貫通する４つの貫通孔を挿通部８１として備える（図５（Ａ））。円盤である交差留め具８の平面視において挿通部８１の夫々は、当該円盤の盤面に沿って直線的に伸びる。４つの挿通部８１の呈する４本の直線のうち一対は向かい合い平行に伸びる。４つの挿通部８１の呈する４本の直線のうち他の一対も向かい合い平行に伸びる。隣り合う当該直線同士は、挟角を略直角とする。
交差した上記輪と反対側へ伸びる長バンド７の一端側を、上記挿通部８１の一つから挿入し交差留め具８の当該挿入したのと反対側の面を経由させ当該挿通部８１と対向する他方の挿通部８１から円盤の前記挿入側の面へ引き出す（図５（Ｂ））。輪にした長バンド７の他端側も、長バンド７を挿入した挿通部８１と隣り合う挿通部８１（隣接挿通部８１と呼ぶ。）から上記輪と反対側へ伸びる長バンド７の他端側を挿入し交差留め具８の当該挿入したのと反対側の面を経由させ当該隣接挿通部８１と対向する他方の挿通部８１から円盤の前記挿入側の面へ引き出す。
交差留め具８は、上記にて長バンド７の交差位置へ配置され、長バンド７の上記輪を留める。
交差留め具８で留められた長バンド７は、首輪状部７１として輪となる区間の長さを調整して輪の大きさを変えることができる。
【００３５】
（吊りバンド７２）
吊りバンド７２は、首輪状部７１と腰当て部２とを連結する、紐状又は帯状のものである（図１及び図２）。
吊りバンド７２は、長さ調整の可能なサスペンダーであり、ペットの背側において腰当て部２へ着脱自在に取り付けられている。具体的には、上記長バンド７の交差位置即ち交差留め具８から前記輪と反対側へ伸びる長バンド７の両端側の区間夫々が、吊りバンド７２即ち上記サスペンダーを構成する。長バンド７の両端には、夫々腰当て部２の前端部分を掴むクリップ７３が設けられている（図１及び図２）。
【００３６】
（飾り９）
飾り９は、首輪状部７１に取り付けられたリボンやタイなどのペット用の装飾品である（図１、図２及び図５（Ｃ））。この例では飾り９はテープリボンである。この例では、飾り９は、布地を首輪状部７１へ掛けて輪を作りテープ９１で当該輪を留めたものであり（図５（Ｃ））、２つの飾り９を首輪状部７１に合わせて取り付け、リボンのように見せている。
【００３７】
（その他）
肢通し部４はベルトに限定するものではない。例えば肢通し部４は一枚の布に左右の肢を通す穴をくり抜いた形態のものでもよい。また肢通し部４を上記布で形成する場合、実際に穴をくり抜いたものに限らず、布の周縁から内側へ後退する部分を前述の挿通空間として形成しておき、スナップやファスナ、起毛ファスナその他の結合部材４３にて当該布の縁を結合し穴とするものでもよい。そして穴が形成された上記布の左右端部を連結部材５にて分離可能に連結するものとすればよい。
肢通し部４は、ペットｐの左右の前肢を通すものとしてもよい。即ち、ペットｐの左右前肢を通す一対の肢通し部４へ上記連結部材５を設けて、左右前肢の付け根間の拘束と当該拘束の解除とを選択可能としてもよい。
このペットの歩行補助ハーネスの対象とするペットは、四足歩行するものであれよく、犬、猫、子豚  兎、猿その他の動物に本考案のペットの歩行補助ハーネスを用いることができる。
【符号の説明】
【００３８】
１      ペットの歩行補助ハーネス
２      腰当て部
３      引手部材
４      肢通し部
４ａ    左肢用ベルト
４ｂ    右肢用ベルト
５      連結部材  （スナップ）
６      長ベルト
７      長バンド
８      交差留め具
９      飾り
２１      当て布
２２      目隠し布
２３ａ    左リベット
２３ｂ    右リベット
２４ａ    左主リベット
２４ｂ    右主リベット
２５ａ    左副リベット
２５ｂ    右副リベット
２６ａ    左リング
２６ｂ    右リング
３１      握手（引手部材３）
３１ｃ  （握手３１の）カバー  
３２      手綱（引手部材３）
３３    （手綱３２の）持ち手
３４    （手綱３２の）分岐端
３５    （手綱３２の）茄子鐶
４１ａ    左第１ベルト構成帯
４１ｂ    右第１ベルト構成帯
４１ｃ    カバー部材
４２ａ    左第２ベルト構成帯
４２ｂ    右第２ベルト構成帯
４３      結合部材  （バックル）
４３ａ１  左前結合構成部（結合部材４３）
４３ｂ１  右後結合構成部（結合部材４３）
４３ａ２  左後結合構成部（結合部材４３）
４３ｂ２  右後結合構成部（結合部材４３）
５１    （連結部材５の）雌
５２    （連結部材５の）雄
５３    （連結部材５の）取付片  
７１      首輪状部
７２      吊りバンド  （サスペンダー）
７３    （吊りバンド７２の）クリップ
７４      布地
８１    （交差留め具８の）挿通部
ｆ１（ペットｐの）左後肢
ｆ２（ペットｐの）右後肢
ｆ３（ペットｐの）尾
ｐ  ペット  
【図１】
0003215269.tif 000003
【図２】
0003215269.tif 000004
【図３】
0003215269.tif 000005
【図４】
0003215269.tif 000006
【図５】
0003215269.tif 000007